(57)【特許請求の範囲】
【請求項１】
透明樹脂材でなる表示板と、同表示板を支える取付パネルを備え、同取付パネルの背面側に突出する光案内筒部内の先端付近に発光体を配置し、前記発光体の対面にあたる前記光案内筒部の光出口を覆う前記表示板の裏面に、印刷抜き部を施した光拡散印刷が印刷され、前記印刷抜き部は、前記表示板を正面から見た場合に前記発光体が前記表示板に投影する中心位置から四方に向けて同形の四角形または丸形のドットが間隔を徐々に広く開けたグラデーションに配置されたパターンでなることを特徴とする表示装置。
【発明の詳細な説明】
【技術分野】
【０００１】
本発明は、使用者に注意を喚起する発光部を有する表示装置及びそれを備えた電子または電気機器に関するものである。
【背景技術】
【０００２】
かかる表示装置は、例えば消防車両や救急車両用の車載型無線装置に使われる。この車載型無線装置は消防車両や救急車両のダッシュボードや座席等に搭載し、複数の基地局や移動局と無線通信を介して指令や車両の状況などを送受信するものである。そのため車載型無線装置には各種操作ボタン、マイク接続部およびスピーカーと共に、基地局との通信状態や、通話状態、指令内容を表示するための表示装置がある。
【０００３】
図８に示す従来例１の車載型無線装置１００では、表示装置１１０の表示にドットマトリックスで表示するＬＣＤ１２０を使用していることで、表示装置１１０に適時情報を表示することが可能である。しかし、ＬＣＤは輝度や色に変化がないため緊急の連絡時に即時に注意を喚起することが困難である。（特許文献１参照）。
【０００４】
注意を即時に喚起できるように、基地局との通話、通信時に発光するＬＥＤを表示装置に備えた従来例２の車載型無線装置もある。例えば出願人が先に出願した特願２０１０−３８０４４号の車載型無線装置の表示装置は、図９に示すように、表示装置２００に透明樹脂材でなる表示板２１０と、同表示板２１０を支える取付パネル２２０を備え、同取付パネル２２０の背面側に突出する光案内筒部２３０内にＬＥＤ２４０を配置し、前記光案内筒部２３０の光出口に当接する前記表示板２１０の裏面に、光拡散印刷２５０を設け、光拡散印刷２５０以外の面に暗色印刷２６０を設けることにより、前記ＬＥＤ２４０から発光した光は光案内筒部２３０内を反射、通過して光拡散印刷２５０で拡散し、光出口全体を面発光させることで、注意を喚起しやすくなるものである。
【０００５】
しかし、従来例２の車載型無線装置は車両内に限らず、緊急時や野外活動用として車両の外に持ち出し、日光直下や消防現場に携帯し使用することもある。日光直下や消防現場では、周囲の環境が明るすぎるため、従来例２にあるＬＥＤの発光を拡散して面発光した表示では、周囲の環境の明るさに馴染んで見えずらくなることがあり、緊急の連絡を受け損ねる虞がある。
【先行技術文献】
【特許文献】
【０００６】
【特許文献１】意匠登録第１０２２１７７の類似１号公報
【発明の概要】
【発明が解決しようとする課題】
【０００７】
本発明は以上のような点に鑑みてなされたもので、ＬＥＤから発光された光を日中または夜間、屋内または屋外を問わずはっきりと視認することができる表示装置を提供することである。
【課題を解決するための手段】
【０００８】
上記目的を達成するために、請求項１にかかる発明は、透明樹脂材でなる表示板と、同表示板を支える取付パネルを備え、同取付パネルの背面側に突出する光案内筒部内の先端付近に発光体を配置し、前記発光体の対面にあたる前記光案内筒部の光出口を覆う前記表示板の裏面に、印刷抜き部を施した光拡散印刷が印刷され、前記印刷抜き部は、前記表示板を正面から見た場合に前記発光体が前記表示板に投影する中心位置から四方に向けて同形の四角形または丸形のドットが間隔を徐々に広く開けたグラデーションに配置されたパターンでなる表示装置である。
【発明の効果】
【００１２】
請求項１にかかる発明によれば、表示板と、同表示板を支える取付パネルを備え、同取付パネルの背面側に突出する光案内筒部内の先端付近に発光体を配置し、前記発光体の対面にあたる前記光案内筒部の光出口を覆う前記表示板の裏面に、印刷抜き部を施した光拡散印刷を設けることにより、屋内や夜間では光拡散印刷によって面発光した発光体の光が視認されるとともに、屋外や日中では印刷抜き部から直接輝度の高い発光体の光を視認することができる表示装置となる。
【図面の簡単な説明】
【００１６】
【図１】は本発明を適用した車載型無線装置の斜視図である。
【図２】は本発明を適用した車載型無線装置の表示装置の正面図である。
【図３】は（図２）で図示されたＡ−Ａ断面図である。
【図４】は（図２）の発光表示部拡大図であり、（Ａ）、（Ｂ）はパターンのバリエーションである。
【図５】は（図２）で図示されたＸ部の発光表示部の発光体が発光した状態の拡大図である。
【図６】は本発明を適用した車載型無線装置の使用状態を示す図である。
【図７】は本発明の第２の実施例で、（図２）で図示されたＸ部の発光表示部を拡大した詳細図である。
【図８】は従来例１の車載型無線装置である。
【図９】は従来例２の表示部の断面図である。
【発明を実施するための形態】
【００１７】
〈第１の実施例〉
図１は本発明を適用した消防車両や救急車両用の車載型無線装置１の斜視図である。車載型無線装置１は消防車両や救急車両のダッシュボードおよび座席等に搭載し、複数の基地局や移動局と無線通信を介して指令や車両の状況などを送受信するものである。そのため車載型無線装置１には取付パネル２にマイクジャック２０やスピーカー２１、多数の操作ボタン２２と、基地局との通信状態や、通話状態、指令内容を表示するための表示装置３を備えている。
【００１８】
図２の表示装置３の正面図に示すように、表示装置３には発光体に後述するＬＥＤ４を使用した発光表示部３１、３２、３３と、ドットマトリックスで表示するＬＣＤ５を使用したＬＣＤ表示部３４が横並びに配置されている。
表示装置３の表面には、取付パネル２の表面と面一になるように透明樹脂材でなる表示板６が備えられている。図２および図３のＡ−Ａ断面図に示すように、表示板６の裏面には印刷層７が形成されている。印刷層７において、表示板６での発光表示部３１、３２、３３に当たる面にはＬＥＤ４の光を面発光で表示させるように矩形の光拡散印刷７０を施し、ＬＣＤ表示部３４に当たる面にはＬＣＤの表示画面に合わせて印刷を施さず、発光表示部３１、３２、３３とＬＣＤ表示部３４以外の面には、光を遮る効果のある暗色印刷７１を施し、暗色印刷７１と表示板６の間に発光表示部３１、３２、３３の機能を示す表示文字色印刷７２を施す。表示文字色印刷７２は白色、表示文字色印刷７２ａは緑色、表示文字色印刷７２ｂは赤色である。また、表示板６を取付パネル３に貼付する接着印刷７３を暗色印刷７１の裏側に施す。接着印刷７３は両面テープでもよく、両面テープの場合は、両面テープが防水の役割を兼ね本体への水の浸入を防ぐことができる。
【００１９】
発光表示部３１のＬＥＤ４は、車載型無線装置１の操作ボタン２２を操作して情報を発信している時に白色に発光し、発光表示部３２のＬＥＤ４は、基地局や他の車両からの情報を受信した際に白色に発光する。また、発光表示部３３のＬＥＤ４は、車載型無線装置１が基地局のサービスエリア圏内にあり、通話が可能である場合は緑色に発光し、圏外で通話が規制中の時は赤色に発光する。
これにより、発光色を見ただけで、通話と通信の状況を即座に判断でき、適時アクションが取れるようになる。
【００２０】
図３に示すように、発光表示部３１には、表示板６と、同表示板６を支える取付パネル２を備え、同取付パネル２の背面側に突出する光案内筒部２３内の先端付近に基板８に立設するＬＥＤ４を配置し、ＬＥＤ４の対面にあたる光案内筒部２３の光出口２４を覆う表示板６の裏に光拡散印刷７０が印刷されている。光拡散印刷７０は光案内筒部２３の光出口２４と同じ面積でもよいし、光出口２４よりもひとまわり大きく設けると光出口２４から発光される光を漏れなく拡散することができるのでなお良い。また、光拡散印刷７０は暗色印刷７１に若干オーバーラップする方が印刷ズレを防ぐことができる。
【００２１】
図４は図２における発光表示部３１を拡大したものである。発光表示部３１に施された光拡散印刷７０には印刷抜き部７０ａが施されている。図４（ａ）の印刷抜き部７０ａは一辺をａとする同形の正方形（四角形）のドットが、同一の隙間ｂを開けて、縦方向および横方向に均一に配置されたパターンで構成されている。なお、ドットの一片であるａと隙間ｂは使用者がパターンを認識せずに単色の面として視認できるように、シルク印刷の細かさの限界である０．２ｍｍとしている。
【００２２】
さらに、印刷抜き部７０ａのドットのパターンが微細なパターンで構成されていることで、ＬＥＤ４の消灯時には印刷抜き部７０ａから内部が暗い面に見えてＬＥＤ４が分からなくなる効果がある。
【００２３】
また印刷抜き部７０ａは正方形のドットパターンに限らず、図４（ｂ）のように丸形状からなるドットのパターンでもよく、光拡散印刷部７０と印刷抜き部７０ａのバランスを
考慮してパターンを決定すればよい。
【００２４】
上記構成により、発光表示部３１のＬＥＤ４の点光源から発光された光は、光案内筒部２３内を通過、反射して光拡散印刷７０に至り拡散されて発光表示部３１全体を面発光させることになる。また、印刷抜き部７０ａに至った光は印刷抜き部７０ａから表示板６を通過して直接、使用者の視界に届くことになる。
【００２５】
これにより図５に示すように、光拡散印刷７０で面発光された光により表示部３１全体が明るく視認できるとともに、日光直下の明るい環境で面発光では視認しづらかった表示が、印刷抜き部７０ａからＬＥＤ４で最も明るい点光源の発光素子そのものが直接見えるため、良好に視認できるようになる。
【００２６】
図６に示すように、車載型無線装置１を車両の外に持ち出す時は、車載型無線装置１の取付パネル２を上にしてショルダーケース９に収納し、使用者Ｈが肩から下げて使用するため、使用者Ｈが表示装置３を見る視線Ｅは上から直接発光表示部３１、３２、３３を見下げることになり、印刷抜き部７０ａからＬＥＤ４で最も明るい点光源の発光素子そのものが直接見えるため、日光直下や消防現場でも、通信や通話可能状態を確認することができ、適時アクションが取れるようになる表示装置となる。
【００２７】
また、消防車両や救急車両のダッシュボードおよび座席等に搭載している場合は、暗い環境内で正面よりも運転席や側方から視認するため、光拡散印刷７０で拡散された面発光が有効となる。
【００２８】
〈第２の実施例〉
図７は光拡散印刷７０において、印刷抜き部７０ａは、表示板６を正面から見た場合にＬＥＤ４が表示板６に投影する中心位置から四方に向けて四角形または円形のドットの間隔を徐々に広く開けたグラデーションのパターン印刷にしたものである。これにより直接発光表示部３１を正面から見た場合は印刷抜き部７０ａからＬＥＤ４で最も明るい点光源の発光素子そのものが直接見えるため、日光直下の明るい環境でも見やすくなるとともに、車両内の運転席などの側方から視認する場合も、光拡散印刷７０で拡散された面発光面が広くなることで見やすい表示となる。
【００２９】
なお、実施例において、本発明の表示装置を備えた機器として、車載型無線装置を例に説明したが、それに限るものではなく、エアコン、テレビ、情報機器等の表示装置を備えた電子または電気機器に広く応用が可能である。
【符号の説明】
【００３０】
１：車載型無線装置
２：取付パネル
２３：光案内筒部
２４：光出口
３：表示装置
３１：発光表示部（ＬＥＤ）
３２：発光表示部（ＬＥＤ）
３３：発光表示部（ＬＥＤ）
３４：発光表示部（ＬＣＤ）
４：発光体
６：表示板
７：印刷層
７０：光拡散印刷
７０ａ：印刷抜き部
７１：暗色印刷
【図１】
0005505282.tif 000002
【図２】
0005505282.tif 000003
【図３】
0005505282.tif 000004
【図４】
0005505282.tif 000005
【図５】
0005505282.tif 000006
【図６】
0005505282.tif 000007
【図７】
0005505282.tif 000008
【図８】
0005505282.tif 000009
【図９】
0005505282.tif 000010